(57)【要約】 【課題】  浴槽本体の昇降操作によって入浴経過時間の計数が自動的に行えるものとし、入浴経過時間を計数する為の専用操作を不要とすることで入浴介護者の入浴操作に係る負担を軽減する入浴装置を提供すること。【解決手段】  所定区間を昇降可能な浴槽本体２内に入浴者が載置される担架３を支持する架台１３が固設される入浴装置１において、入浴経過時間の計数が浴槽本体２の上昇指示と同時に、又は浴槽本体２が前記所定区間内における所定位置にまで上昇すると自動開始され、前記入浴経過時間の計数は浴槽本体２の下降指示と同時に、又は上昇状態にある浴槽本体２が前記所定区間内における所定位置にまで下降すると自動停止される構成とした。【選択図】  図４
2007000256.tif 000002
【特許請求の範囲】
【請求項１】
所定区間を昇降可能な浴槽本体内に入浴者が載置される担架を支持する架台が固設される入浴装置において、入浴経過時間の計数が、前記浴槽本体の上昇指示と同時に又は前記浴槽本体が前記所定区間内における所定位置にまで上昇すると自動開始され、前記入浴経過時間の計数は、前記浴槽本体の下降指示と同時に又は上昇状態にある前記浴槽本体が前記所定区間内における所定位置にまで下降すると自動停止されることを特徴とする入浴装置。
【請求項２】
入浴経過時間を表示する時間表示部が浴槽本体に設けられることを特徴とする請求項１記載の入浴装置。
【請求項３】
入浴経過時間が設定入浴時間に至ると報知音を発生する報知器を設け、該報知器からの報知音によって入浴者及び入浴介護者に退浴時機を報知することを特徴とする請求項１又は２記載の入浴装置。
【発明の詳細な説明】
【技術分野】
【０００１】
本発明は、歩行困難な身体障害者又は高齢者（以下、入浴者という）を入浴させる入浴装置における入浴経過時間の計数と表示に関するものである。
【背景技術】
【０００２】
下記特許文献１には、「入浴者を車椅子に乗せたままで入浴をできるようにした扉開閉式の入浴浴槽」と「担架に乗せられた入浴者が、リフタによって、入浴浴槽の上方から入浴、出浴される形式の入浴浴槽」において入浴時間のカウントを可能にした技術が記載されている。
【０００３】
しかしながら、昇降可能な浴槽内に固設される架台上に入浴者が載置される担架を移動させた後、浴槽を上昇させ入浴者を入浴させるタイプの入浴装置における入浴時間のカウントに係る技術に関しては、一切言及されていない。  
【０００４】
【特許文献１】特開平１０−１４６３７４号公報
【発明の開示】
【発明が解決しようとする課題】
【０００５】
本発明は、浴槽本体の昇降操作によって入浴経過時間の計数が自動的に行えるものとし、入浴経過時間を計数する為の専用操作を不要とすることで入浴介護者の入浴操作に係る負担を軽減すること目的とする。
【課題を解決するための手段】
【０００６】
上記目的を実現する為、本発明は、所定区間を昇降可能な浴槽本体内に入浴者が載置される担架を支持する架台が固設される入浴装置において、入浴経過時間の計数が前記浴槽本体の上昇指示と同時に、又は前記浴槽本体が前記所定区間内における所定位置にまで上昇すると自動開始され、前記入浴経過時間の計数は前記浴槽本体の下降指示と同時に、又は上昇状態にある前記浴槽本体が前記所定区間内における所定位置にまで下降すると自動停止されるように構成した。
【０００７】
又、入浴経過時間を表示する時間表示部を浴槽本体に設けた。更に、入浴経過時間が設定入浴時間に至ると報知音を発生する報知器を設け、該報知器からの報知音によって入浴者及び入浴介護者に退浴時機を報知するように構成した。
【発明の効果】
【０００８】
請求項１記載の発明によれば、例えば、操作パネル部に装備される浴槽本体の上昇スイッチを押下し浴槽本体の上昇指示をすることにより入浴経過時間の計数が開始され、浴槽本体の下降スイッチを押下し浴槽本体が下限位置にまで下降すると自動的に入浴経過時間の計数が停止するので、入浴介護者は上昇・下降スイッチを押下して浴槽本体の昇降操作だけを行えばよく、上昇・下降スイッチとは別の入浴経過時間の計数開始及び計数停止に係る計数スイッチの押下操作等が不必要となり、スイッチ操作の手数を減らすことができ、入浴介護者の入浴装置操作に係る負担を軽減できる。
【０００９】
又、前記計数スイッチの押下操作をし忘れた結果、入浴経過時間が確認できなくなるといった不都合な事態の発生を低減することができる。更に、入浴経過時間の計数専用の計数スイッチを余分に操作パネル部に装備する必要がなく、スイッチ類の個数を減少することができ、コストダウンが図れる。
【００１０】
請求項２記載の発明によれば、入浴介護者は操作パネル部に設けられる時間表示部を目視することで、入浴者がどの程度の時間入浴を行っているのかを容易に把握できる。
【００１１】
請求項３記載の発明によれば、例えば、入浴装置から離れた浴室内で他の作業を行っている入浴介護者に対しても退浴時機が到来したことを確実に知らせることができ、従って、入浴者を長時間湯に浸からせたままの状態で放置し入浴者に脳貧血を引き起こさせてしまうといった危険性を回避できる。
【発明を実施するための最良の形態】
【００１２】
浴槽本体の昇降操作によって入浴経過時間の計数が自動的に行えるものとし、入浴経過時間を計数する為の専用操作を不要とすることで入浴介護者の入浴操作に係る負担を軽減するという目的を、浴槽本体の上昇スイッチのＯＮ作動と同時に入浴経過時間の計数を自動的に開始し、下降スイッチが押下され浴槽本体が所定の下限位置にまで下降した時点で入浴経過時間の計数を自動的に停止する構成とすることにより実現した。
【実施例１】
【００１３】
以下、本発明の実施例１を図１乃至５を参照して説明する。
図１は入浴装置１を示す平面図、図２は浴槽本体２の昇降手段を説明する模式図、図３は浴槽本体２の主たる電気的構成を示す簡易ブロック図、図４は入浴経過時間の計数・表示に係る制御例を示すフローチャート図、図５は主操作パネル部２０の主要部分を拡大した部分図である。
【００１４】
図１に示すように本発明の入浴装置１は、平面視略長方形状の浴槽本体２と、該浴槽本体２の入浴部３１内に設けられる架台１３と、入浴者を仰臥姿勢に横たわらせる担架３と、該担架３を載置し搬送する搬送車４とを主たる構成要素としている。
【００１５】
図２に示すように浴槽本体２は浴室床面１８に複数の脚を介して載置される側面視Ｌ字状の基台５上に配置されており、浴槽本体２は基台５上に配備される浴槽昇降手段６によって所定区間を昇降可能になされている。浴槽昇降手段６は、基台５と浴槽本体２の底壁２ａ下面との間に設けられるＸ字状のパンタグラフ７と、ロッド１１ａ先端部がパンタグラフ７の所定箇所に連結されると共にピストン部１１ｂが基台５に軸着される油圧シリンダ１１と、該油圧シリンダ１１のロッド１１ａをピストン部１１ｂに対して伸長又は収縮させることによりパンタグラフ７を閉脚方向又は開脚方向に駆動させる油圧ポンプ８を有する油圧ユニット９とから構成される。
【００１６】
油圧ポンプ８とピストン部１１ｂとは配管１０で接続され、該配管１０の中途位置にはロッド１１ａをピストン部１１ｂ内方へ収縮させる為の電磁弁１２が介装されている。従って、浴槽本体２はロッド１１ａが伸長しパンタグラフ７が閉脚方向に駆動すると上昇し、逆にロッド１１ａが収縮しパンタグラフ７が開脚方向に駆動すると下降する。
【００１７】
又、基台５上には一端部が基台５に固定されると共に浴槽本体２の底壁２ａの略中心部を貫通して鉛直状に延設される支柱部１３ａと、該支柱部１３ａの他端部に担架３を支持する平面視略長方形状の支持板部１３ｂとからなる架台１３が設けられている。尚、支柱部１３ａが貫通される底壁２ａ箇所には入浴部３１内に溜められる湯水を入浴部３１外へ漏出させないよう不図示のシール部材等でシールされている。支持板部１３ｂの長手方向の上面左右位置には搬送車４から移動される担架３を支持板部１３ｂ上の所定位置に案内する案内レール１７・１７が所定の間隔を有して平行態様に配設されている。支持板部１３ｂの中央部には担架３と架台１３とがロックされていることを検知する近接センサ２９が固着される（図１参照）。
【００１８】
基台５の直立部５ａの所定位置には浴槽本体２の上昇を所定上限位置にて自動停止させる上限リミットスイッチ１４と、浴槽本体２の下降を所定下限位置にて自動停止させる下限リミットスイッチ１５とがそれぞれ配設される。直立部５ａが形成される側における浴槽本体２の側壁２ｂの外面下部には前記上限・下限リミットスイッチ１４・１５をＯＮ／ＯＦＦ操作する突片１６が取着されている。尚、図２は浴槽本体２が所定上限位置にまで上昇した状態を示している。図２中、３２は入浴部３１内に給湯された湯水の温度を検出する温度センサ、３３は入浴部３１内の湯水の下限水位を検出する下限水位センサ、３４は入浴部３１内の湯水の上限水位を検出する上限水位センサである。
【００１９】
次に、図３を参照して入浴装置１の主たる電気的構成について説明する。制御装置１９は浴槽本体２長手方向の左右端の上面位置にそれぞれ配設される主操作パネル部２０（図１中、浴槽本体２の右端側）と副操作パネル部２１（図１中、浴槽本体２の左端側）に装備される各種スイッチ類の他、上述した上限・下限リミットスイッチ１４・１５、近接センサ２９等からの信号を受信し、入浴装置１の作動を制御する。尚、副操作パネル部２１には主操作パネル部２０に装備されるスイッチ類と同等のものが一部装備される為、以下は主操作パネル部２０に装備されるスイッチ類についてのみ説明を行う。
【００２０】
上昇スイッチ２２は浴槽本体２の上昇を指示し、下降スイッチ２３は浴槽本体２の下降を指示し、停止スイッチ２４は浴槽本体２の昇降停止を指示するものである。計数カウンタ２６は入浴経過時間を計数するカウンタであって、制御装置１９から入浴経過時間の計数開始の信号が送信されると計数を開始し、計数停止の信号が送信されると計数を停止する。
【００２１】
制御装置１９は計数カウンタ２６により計数される入浴経過時間を読み取り、時間表示部２７に表示する。報知器２８は入浴装置１に内蔵のスピーカとされ、計数カウンタ２６により計数された入浴経過時間が予め制御装置１９に設定している入浴時間（以下、設定入浴時間と称呼する）に到達すると音声を発生するものである。音声スイッチ２５は報知器２８からの音声の許可／禁止を指示するものである。尚、図示及び詳細な説明は省略するが、前記設定入浴時間は、入浴介護者等によって必要に応じて適宜変更が可能なものである。
【００２２】
浴槽本体２を上昇させる場合は、不図示の給湯手段を用いて湯水を下限位置にある浴槽本体２内に溜めた後、搬送車４を浴槽本体２長手方向における一側方位置に接近させ浴槽本体２と搬送車３とを不図示のロック手段を用いて連結する。担架３を搬送車４から架台１３上にスライド移動させる。図示は省略するが担架３と架台１４には、担架３が架台１４の所定位置に至ると自動的にロックがなされるようにロック手段が形成されている。担架３と架台１３とのロックが完了すると、近接センサ２９がＯＮ作動し、制御装置１９に信号を送信し、浴槽本体２の上昇が許容される。
【００２３】
次に、電磁弁１２を閉弁状態で油圧ポンプ８を駆動させ、油圧シリンダ１１のロッド１１ａを伸長させパンタグラフ７を閉脚方向に作動させる。このパンタグラフ７の作動によって浴槽本体２が上昇し入浴者は入浴可能状態となる。浴槽本体２の上昇移動は突片１６が上限リミットスイッチ１４に当接し、該スイッチ１４がＯＮとなった時点（上限位置）で自動停止する。
【００２４】
浴槽本体２を下降させる場合は、制御装置１９にて電磁弁１２を開弁状態に作動制御することで油圧シリンダ１１のロッド１１ａが収縮作動しパンタグラフ７が開脚方向に駆動し、浴槽本体２が下降する。浴槽本体２の下降は、突片１６が下限リミットスイッチ１５に当接し、該スイッチ１５がＯＮ作動した時点（下限位置）で自動停止する。尚、上限位置と下限位置の間で浴槽本体２の昇降を停止させる場合は、停止スイッチ２４を押下すればよい。
【００２５】
次に、図４に基づいて、入浴経過時間の計数に係る制御を説明する。図４中、Ｓはステップを示す。入浴装置１の電源スイッチ３０をＯＮにすると、時間表示部２７に入浴経過時間が零と表示される（Ｓ１）。Ｓ２において、制御装置１９によって浴槽本体２が下限位置にあるか否かが判別される。ＹＥＳの場合、即ち、浴槽本体２が下限位置にあり下限リミットスイッチ１５がＯＮになっていることを制御装置１９が検知した場合は、Ｓ３に移行する。
【００２６】
次に、Ｓ３において、搬送車４から担架３が架台１３上に移動されロックされているか否かが判別される。ＹＥＳの場合、即ち、近接センサ２９によってロックがなされたことが制御装置１９にて検知された場合は、Ｓ４へ移行する。
【００２７】
Ｓ４において、上昇スイッチ２２が押下操作されＯＮになったか否かが判別される。上昇スイッチ２２がＯＮになった旨が制御装置１９によって検知されると、制御装置１９は浴槽昇降手段６を作動させ浴槽本体２を上昇させると共に入浴経過時間を計数する計数カウンタ２６に計数開始信号を送信し、計数カウンタ２６が入浴経過時間の計数を開始する（Ｓ５）。
【００２８】
制御装置１９は計数カウンタによって計数された入浴経過時間を読み取り、時間表示部２７に表示する（Ｓ６）。浴槽本体２は浴槽昇降手段６の作動によって、上限リミットスイッチ１４がＯＮとなる所定の上限位置にまで上昇すると、上昇が自動停止する。
【００２９】
Ｓ７において計数カウンタ２６によって計数された入浴経過時間が設定入浴時間に到達した旨を制御装置１９によって検知された場合（Ｙｅｓと判別）で、Ｓ１２にて音声スイッチ２５がＯＮであることが検知された場合（Ｙｅｓと判別）は、スピーカ（報知器２８）から音声が発生され（Ｓ１３）、この音声でもって退浴時機が到来したことを入浴者及び入浴介護者に対して報知する。
【００３０】
発生される音声は、制御装置１９内に予め記憶された所定時間のメロディ音とされ、所定時間が経過した後にメロディ音は自動停止される（Ｓ１４）。音声スイッチ２５がＯＦＦとされている場合は、入浴経過時間が設定入浴時間に到達にしてもスピーカから音声は発生されない仕組みとされている。
【００３１】
入浴介護者は前記メロディ音によって入浴経過時間が設定入浴時間に到達したことを確認した後、入浴者を退浴させる作業に移行する。浴槽本体２を下降させ入浴を完了する場合は、下降スイッチ２３を押下操作する（Ｓ８）。制御装置１９は下限リミットスイッチ１５がＯＮとなる所定の下限位置にまで浴槽本体２が下降したか否かを判別し（Ｓ９）、ＹＥＳの場合は計数カウンタ２６による入浴経過時間の計数を停止し（Ｓ１０）、時間表示部２７に表示される入浴経過時間を零に戻す（Ｓ１１）。
【００３２】
尚、Ｓ２においてＮｏと判別された場合は浴槽本体２が上昇或いは下降している状態であり、計数カウンタ２６によって入浴経過時間の計数が継続され、その時間が時間表示部２７に表示される。Ｓ３〜Ｓ４、Ｓ８〜Ｓ９、Ｓ１２においてＮｏと判別された場合はいずれも図４に示す各所定位置にまでループされる。
【００３３】
尚、上述した実施例１では上昇スイッチ２２をＯＮにすると制御装置１９が入浴開始を検知し計数カウンタ２６が入浴経過時間の計数を開始し、下降スイッチ２３を押下し浴槽本体２が所定の下限位置まで下降すると入浴経過時間の計数を停止する構成としたが、本発明は上記構成に限定されることはなく、例えば、上昇スイッチ２２をＯＮにした後、浴槽本体２が所定の上限位置にまで上昇した（上限リミットスイッチ１４がＯＮとなる）時点で入浴経過時間の計数を開始してもよく、或いは上昇スイッチ２２をＯＮにしてから所定時間（例えば、５秒）後に入浴経過時間の計数を開始してもよく、更に、入浴経過時間の計数を停止するタイミングに関しても下降スイッチ２３をＯＮにした時点で入浴経過時間の計数を停止してもよく、或いは下降スイッチ２３をＯＮにしてから所定時間（例えば、５秒）後に入浴経過時間の計数を停止しても勿論よい。
【産業上の利用可能性】
【００３４】
本発明は、歩行困難な身体障害者又は高齢者を入浴させる入浴装置に適用できる。
【図面の簡単な説明】
【００３５】
【図１】本発明の実施例１の入浴装置を示す平面図である。
【図２】実施例１の浴槽本体の昇降機構を説明する模式図である。
【図３】実施例１の浴槽本体の主たる電気的構成を示す簡易ブロック図である。
【図４】実施例１の入浴経過時間の計数・表示に係る制御例を示すフローチャート図である。
【図５】実施例１の主操作パネル部２０の主要部分を拡大した部分図である。
【符号の説明】
【００３６】
１  入浴装置
２  浴槽本体
３  担架
１３  架台
２７  時間表示部
２８  報知器
【図１】
2007000256.tif 000003
【図２】
2007000256.tif 000004
【図３】
2007000256.tif 000005
【図４】
2007000256.tif 000006
【図５】
2007000256.tif 000007